(57)【要約】記録された音声／映像のプレイリストのようなメモリ（１４２）の領域（２１８）をナビゲートするための装置は、重ね合わされた回転可能な時計の針（１３２，１３６，４０４，４０８）を有する時計文字盤に基づくユーザインターフェース（１２８）を有する。一実施形態においては、アイテムは、リスト（２６０）においてナビゲートされた位置のプレイリストが追加される又は削除されることが可能である。他の実施形態においては、スクリーンフィールド（１４０）は、リアルタイムに、現在再生されているアイテム（２０４）を、ナビゲーション中に、現在ナビゲートされているアイテム（２６０）を示す。
2008522455.tif 000002
【特許請求の範囲】
【請求項１】
メモリの領域をナビゲーティングするための装置であって：
時間区画にセクタ化された時計文字盤；
ユーザ入力装置；及び
前記ユーザ入力装置からのユーザ入力に応じて、コンテンツがセクタに対応する前記領域をナビゲーティングするように前記時計文字盤において時計針を回転させるための処理器；
を有する装置。
【請求項２】
請求項１に記載の装置であって、前記時間区画は将来の時間の区画である、装置。
【請求項３】
請求項２に記載の装置であって、前記処理器は、時間の経過につれて、前記セクタ化を更新することにより将来の時間の区画においてセクタ化を保つ、装置。
【請求項４】
請求項３に記載の装置であって、前記更新は、時間の経過と共に継続され、少なくとも１分当たり一回なされる、装置。
【請求項５】
請求項１に記載の装置であって、前記コンテンツは、前記セクタと一対一対応するように分割され、前記ナビゲーティングの粒度はセクタレベルにある、装置。
【請求項６】
請求項１に記載の装置であって、前記処理器は、前記領域のコンテンツの追加及び削除の少なくとも一について、前記領域における場所に及び前記場所においてナビゲーティングするように前記回転のために備えられている、装置。
【請求項７】
請求項６に記載の装置であって、前記時計針は第１時計針であり、前記処理器は、前記位置に対して、前記第１時計針と関連付けて、前記ナビゲーティングのために前記時計文字盤において他の時計針を回転させる、装置。
【請求項８】
請求項１に記載の装置であって、ナビゲーティングするための前記回転の方向性、速度及び滑らかさは前記ユーザ入力により制御される、装置。
【請求項９】
請求項１に記載の装置であって、前記セクタとの対応性に関しては、前記領域は１時間将来に亘って広がっている、装置。
【請求項１０】
請求項１に記載の装置であって、現在の時間を示すための時計針を、前記時計文字盤において、ナビゲーティングする前記回転のときに、更に示したままにする、装置。
【請求項１１】
請求項１に記載の装置であって、ナビゲーティングされた時間が現在時間と一致するまで、表示される現在時間フィールドと共に前記時計文字盤に、ナビゲーティングする前記回転のときに、註釈を付ける、装置。
【請求項１２】
メモリの領域をナビゲーティングするための装置であって：
時間区画にセクタ化された時計文字盤及びフィールドを表示するためのディスプレイ；
ユーザ入力装置；並びに
前記ユーザ入力装置からのユーザ入力に応じて、前記時計文字盤において時計針を複数のセクタと同軸で回転するための、及び前記時計針を現在、有する前記複数のセクタのうちのセクタと対応する前記フィールドにおけるアイテムを表示するための処理器；
を有する装置。  
【請求項１３】
請求項１２に記載の装置であって、前記時間区画は将来の時間の区画である、装置。
【請求項１４】
メモリの領域をナビゲーティングするための方法であって：
時計文字盤を時間区画にセクタ化する段階；及び
ユーザ入力装置からのユーザ入力に応じて、コンテンツがセクタと対応する前記領域をナビゲーティングするように前記時計文字盤において時計針を回転させる段階；
を有する方法。
【請求項１５】
請求項１４に記載の方法であって、前記時間区画は将来の時間の区画である、方法。
【請求項１６】
請求項１５に記載の方法であって、将来の時間の区画へのセクタ化を保つように、時間の経過につれて更新する段階を更に有する、方法。
【請求項１７】
請求項１６に記載の方法であって、前記更新は、時間の経過と共に継続され、１分当たり少なくとも一回なされる、方法。
【請求項１８】
請求項１４に記載の装置であって、前記コンテンツは、前記セクタと一対一対応するように分割され、前記ナビゲーティングの粒度はセクタレベルにある、装置。
【請求項１９】
請求項１４に記載の方法であって、前記回転する段階は、前記領域のコンテンツの追加及び削除の少なくとも一について、前記領域における場所に及び前記場所においてナビゲーティングする段階を有する、方法。
【請求項２０】
メモリの領域をナビゲーティングする方法であって：
時計文字盤を区画にセクタ化する段階；
関連フィールドを与える段階；
ユーザ入力に応じて、前記時計文字盤において、時計針をセクタと同軸で回転させる段階；及び
前記時計針を現在、有する前記セクタについてセクタと対応する前記フィールドにおけるアイテムを表示する段階；
を有する方法。
【請求項２１】
請求項２０に記載の方法であって、前記時間区画は将来の時間の区画である、方法。
【請求項２２】
コンピュータにより読み取り可能な媒体を有するコンピュータプログラムであって、前記媒体はメモリの領域をナビゲーティングするために実行可能なプログラムを有する、コンピュータプログラムであり：
時間区画に時計文字盤をセクタ化するための指令；及び
ユーザ入力装置からのユーザ入力に応じて、コンテンツがセクタと対応する前記領域をナビゲーティングするように前記時計文字盤において時計針を回転させるための指令；
を有するコンピュータプログラム。
【請求項２３】
請求項２２に記載のコンピュータプログラムであって、前記時間区画は将来の時間の区画である、コンピュータプログラム。  
【請求項２４】
請求項２２に記載のコンピュータプログラムであって、前記回転させるための指令は、前記コンテンツの追加及び削除の少なくとも一に前記領域をナビゲーティングするための指令を有する、コンピュータプログラム。
【発明の詳細な説明】
【技術分野】
【０００１】
本発明は、時計文字盤に基づくユーザインターフェースに関し、特に、ナビゲーション用メモリのための時計文字盤に基づくユーザインターフェースに関する。
【背景技術】
【０００２】
プレイリストは、予め選択された音声及び／又は映像ファイルのリストであり、それらのファイルは、単位として、それらの連続する順序で再生するために保存されているものである。プレイリストを、据え置き再生のためにファイル又は“プログラム”を選択するユーザが構築することができ、そのプレイリストは、ビデオレコーダのハードディスクドライブ（ＨＤＤ）又はフラッシュメモリに保存されることができる。その選択は、放送局又はビデオオンデマンドプロバイダからの放送により受信されたプログラムのレコーディングを時間的順序で有する時間シフトバッファに対してユーザインターフェースを介して実行されることが可能である。例示としてのユーザインターフェースについては、同一発明者による同時係属の共有の米国仮出願であって、“Ｃｌｏｃｋ−Ｂａｓｅｄ  Ｕｓｅｒ  Ｉｎｔｅｒｆａｃｅ  ｆｏｒ  ＨＤＤ  Ｔｉｍｅ−Ｓｈｉｆｔ  Ｂｕｆｆｅｒ  Ｎａｖｉｇａｔｉｏｎ”と題されたＩＤ  ６９５５７１の出願において開示されている。また、ユーザは、ネットワーク又は他のソースからダウンロードするかのように、プレイリストをパッケージとして得ることが可能である。何れにしても、プレイリストは、ユーザの指令の際の単位として、その指令に続いて再生されるように、保存されている。
【０００３】
プレイリストの長さの可能性及び小さい表示に対する高まる要求のために、一般ユーザがすぐにプレイリストを理解し、ナビゲート及び編集できる、単純な、直感的な及びコンパクトなユーザインターフェースを実施することは望ましい。
【発明の開示】
【課題を解決するための手段】
【０００４】
一特徴においては、本発明は、メモリの領域をナビゲートするように動作可能である装置、その装置において操作可能である方法及びその方法を実行するためのコンピュータプログラムを提供する。その装置はユーザ入力装置、処理器及び時間区画にセクタ化される時計文字盤を有する。入力装置からのユーザ入力に応じて、時計の針は、メモリの領域をナビゲートするように時計文字盤において回転され、その領域のコンテンツはセクタと対応している。
【０００５】
他の特徴においては、本発明は、時間区画にセクタ化されている時計文字盤とフィールドを表示するためのディスプレイを提供する。ユーザ入力装置からのユーザ入力に応じて、時計の針は、セクタと同軸で時計文字盤において回転される。時計の針を現在、有するセクタと対応して、アイテムがそのフィールドに表示される。
【０００６】
ここで開示する本発明の詳細について、以下、図を参照して詳述する。
【発明を実施するための最良の形態】
【０００７】
本発明にしたがった、フラッシュメモリを有するＨＤＤ  ＰＶＲ又はＰＶＲのための時計に基づくユーザインターフェースは、減少されたスクリーン領域フットプリントを享受する。この減少は、押し付けがましさを最小化したスクリーン上の存在を可能にし、例えば、携帯情報端末（ＰＤＡ）、ビデオＭＰＥＧプレーヤ及びラップトップ型コンピュータのような小さい装置及びＨＤＤ又はフラッシュメモリに基づく装置を備えた携帯用レコーダへのアプリケーションの可能性を生み出す。
【０００８】
図１は、非制限的な例示として、高精細度テレビジョンスクリーンの下部において実施されている本発明のユーザインターフェースを示している。本発明にしたがった改善されたユーザインターフェースを有する再生システム１００は、テレビジョン１０４と、テレビジョン制御ユニット１０８と、その制御ユニットに接続されたレコーダ１１２と、リモートコントロール１１６とを有する。
【０００９】
テレビジョンは、現在、再生されているシーン１２４と、時計文字盤１２８と、分針１３２と、時針１３６と、関連スクリーンフィールド１４０とを表示しているスクリーン１２０を有する。
【００１０】
レコーダ１１２は、処理器１４１と、メモリ１４２とを有する。メモリ１４２は、プレイリストの形で音声及び／又は映像の記録を保存するために、ＨＤＤ又はフラッシュカードのメモリのような不揮発性メモリを有する。メモリ１４２はまた、システム１００に組み込まれているプログラミングを受信するために、タイムシフトバッファをＨＤＤ又は別個の記憶装置に有することが可能である。メモリ１４２は、オペレーティングシステム及びアプリケーションプログラムのような制御を更に有する。
【００１１】
プレイリストをナビゲートし、編集するために、複数の制御部又はボタンをリモートコントロール１１６に有する。それらの制御部には、前進ボタン１４４と、巻き戻しボタン１４８と、スキップ前進ボタン１５２と、スキップ後退ボタン１５６と、ナビゲーション速度ボタン１６０と、追加ボタン１６４と、削除ボタン１６８と、上スクロールボタン１７２と、下スクロールボタン１７６とがある。それ故、例えば、前進ボタン１４４及び巻き戻しボタン１４８は、下記で更に詳細に説明するように、編集モード中にナビゲーションボタンとしての役割を果たすことが可能である。下記から、図２に示すリモートコントロールの実施形態は非制限的であり、単に１つの可能な実施形態の例示であることはまた、明らかである。
【００１２】
図２は、表示される時計文字盤１２８の実施例を詳細に示している。現在の時間は、時計の針１３２及び１３６の位置により示されているように、午後３時又は１５時である。時計文字盤１２８は、将来の時間区画２０４、２０８、２１２及び２１６にセクタ化されている。このセクタ化は、例えば、直角を有する形状であるように、時計文字盤の可能な形状を制限するものではない。
【００１３】
例示目的で、ユーザが再生のための特定のプレイリストを選択し、選択されたプレイリストに関する情報の表示を命令したことを更に仮定している。その選択及び命令は、リモートコントロール１１６における制御部より又は何れの他の既知の及び適切な手段により実行されることが可能である。
【００１４】
例えば、１５時の時点で再生されているプレイリストのアイテムは、“ＭＴＶ：ＳＴＩＮＧ’Ｓ  ＬＡＴＥＳＴ  ＶＩＤＥＯ”である。その時点で再生されているレコーディングのタイトルは、フィールド１４０に常に表示される。ＳＴＩＮＧのレコーディングは、“ＴＩＴＬＥ１”２０４とラベリングされた第１セクタに対応している。ラベル“ＴＩＴＬＥ１”は表示されていないものであるが、図２には、単に例示目的で示されている。セクタの着色化がまた、可能である。着色化は、チャネル、ジャンル、曲風等にしたがうことが可能である。時計文字盤１２８の周囲の数字は実際の表示において存在する又はしないことが可能であるが、この図２においては、例示目的で示されている。
【００１５】
プレイリストが再生のためにまさに選択されたばかりである場合、ＳＴＩＮＧの映像はプレイリストにおける最初のアイテムになる。そうではなく、再生がある時間前に行われたものである場合、ＳＴＩＮＧの映像はプレイリストにおける後続のアイテムになる。時計文字盤１２８において示されているように、ＳＴＩＮＧの映像２０４は１５時１０分に終了するようにスケジューリングされ、そのとき、プレイリストにおける次のアイテムが再生を開始するようにスケジューリングされている。
【００１６】
このようなプレイリストにおける次のアイテムは“ＴＩＴＬＥ２”２０８であり、それは１５時２５分まで再生される。続くアイテムは１５時４５分まで再生される“ＴＩＴＬＥ３”２１２であり、続くアイテムは“ＴＩＴＬＥ４”２１６である。
【００１７】
プレイリストにおけるアイテムはまた、図２に示されていて、その図における順序で、それらのアイテムはメモリ１４２の領域２１８に存在している。ここでは、ＴＩＴＬＥ１２０４は第１レコーディングであり、ＴＩＴＬＥ２は第２レコーディングであり、以下同様であることが仮定されている。時計文字盤１２８と一貫性をもって、レコーディングの長さが、下のメモリ領域２１８におけるそれぞれのアイテムに示されている。このようなメモリ１４２の領域２１８及び註釈は、好適には、テレビジョンスクリーン１２０には表示されていないが、図２には単なる例示目的で示されている。それ故、ユーザインターフェースのサイズは小さく維持される。文字盤１２８の現在のセクタは、メモリ１４２の領域２１８におけるそれぞれのアイテムとの一対一対応の状態にあるが、ＴＩＴＬＥ４  ２１６に後続するレコーディング、例えば、ＴＩＴＬＥ５  ２２０、ＴＩＴＬＥ６  ２２４等は時計文字盤２１８には表示されない。時計文字盤１２８は、１時間将来を示しているに過ぎない。これに関しては、時計文字盤１２８は、ＴＩＴＬＥ４  ２１６が１５時４５分に開始するようにスケジューリングされていることを示しているが、ＴＩＴＬＥ１  ２０４セクタはＴＩＴＬＥ４の終了時点で隠される。したがって、現在、表示されているような時計文字盤１２８から判断するに、ＴＩＴＬＥ４  ２１６が終了するようにスケジューリングされているときを判断することはできない。特定の時間の期間の不足におけるこの事実は、下部のメモリ領域２１８におけるそれぞれのアイテムにおいて反映されている。しかしながら、下で更に詳細に説明するように、領域２１８は、時計文字盤１２８を対応して更新するような方式で十分にナビゲートされることが可能である。一時に単に１時間の表示は、それ故、コンパクトな表示の有利点を提供するものであるが、情報への容易なアクセスを制限するものではない。
【００１８】
時計の針１３２及び１３６に加えて、パイスライス半径２３０、２３４及び２３８が時計文字盤１２８にまた、表されている。後者は常に一組で表され、各々の一組はパイスライスを規定し、各々のパイスライスは、１時間将来の範囲内に完全に入いるセクタを表している。図２においては、２つのパイスライスのみが存在している。それらのパイスライスはＴＩＴＬＥ２セクタ２０８及びＴＩＴＬＥ３セクタ２１２である。ＴＩＴＬＥ１  ２０４に関しては、スケジューリングされている終了時間は１５時１０分であるが、その開始時間は過去の時点である。ＴＩＴＬＥ１セクタは、それ故、パイスライスで表されていない。ＴＩＴＬＥ４  ２１６に関しては、上記のように、スケジューリングされた開始時間は１５時４５分であるが、スケジューリングされた終了時間は１６時００分より後である。それ故、ＴＩＴＬＥ４は、同様に、パイスライスで表されていない。
【００１９】
図３は、何れの中間時間の間のナビゲーションを伴わずに、図２の時計文字盤１２８の１分後、即ち、１５時０１分における例を示している。時計の針１３２及び１３６は、時計回り方向に回転することで進み、それにより、ＴＩＴＬＥ４セクタ２１６の角度範囲は広がり、それに対応してＴＩＴＬＴ１  ２０４の角度範囲は狭くなっている。時計文字盤の更新が、少なくとも１分間に一度、時間の経過につれて継続して行われる。セクタ２１６についての角度範囲の拡大にも拘わらず、ＴＩＴＬＥ４が終了するようにスケジューリングされているときに関しては、時計文字盤１２８における表示は未だに存在しない。したがって、このセクタは尚も、パイスライスを有していない。時間が経過するにつれて、時計の針１３２の進行により、パイスライス半径の表示を最終的に露わにし、その時点で、ＴＩＴＬＥ４の再生は終了し、時計の針１３２及び１３４の位置はその終了時間に印を付ける。好適には、プレイリストの一アイテムの終了時間は、存在する場合、次のアイテムの開始時間に対応している。メモリ１４２の領域２１８から理解できるように、次のアイテムはＴＩＴＬＥ５  ２２０である。セクタ化の観点から、時間経過につれて、時計文字盤１２８は、メモリ１４２の領域２１８におけるレコーディングと一対一対応する時間区画にセクタ化される。
【００２０】
図４は、メモリ領域２１８においてユーザが前方にナビゲートしている場合の、図３の時計文字盤の一例を示している。一旦、ナビゲーションが前方又は後方に開始されると、現在の時間を指し示している時計の針１３２及び１３６は破線で示されるようになる。前方又は後方への回転についてのそれらの針１３２及び１３６からの変化は、実線のナビゲーションの針４０４及び４０８で示される。後者は、ナビゲートされた時間が１５時３５分であることを示している。両方の時計の針の対は、ユーザが現在の時間に戻るようにナビゲートするまで又は現在の時間がナビゲーション時間と一致するように進むまで、存在し、そのような時点で、ナビゲーションの針４０４及び４０８は、破線の針１３２及び１３６と重なり合う。
【００２１】
１５時３５分までの前方へのナビゲーションは、表示のために、パイスライス半径２４０を露わにし、そのことは、ＴＩＴＬＥ４  ２１６とＴＩＴＬＥ５  ２２０との間の遷移がスケジューリングされている時間１６時０５分を印付けする。同様に、パイスライス半径２４８は、ＴＩＴＬＥ５  ２２０とＴＩＴＬＥ６  ２２４との間の１６時１５分の遷移を印付け、そしてパイスライス半径２５６は、ＴＩＴＬＥ６  ２２４とＴＩＴＬＥ７  ２６０との間の１６時２５分の遷移を印付ける。後者のセクタは、対の１つの半径のみ、例えば、半径２５６が表示されているために、パイスライスを表さない。したがって、ＴＩＴＬＥ７  ２６０が終了するようにスケジューリングされているとき、時計文字盤１２８からは分からない。したがって、ＴＩＴＬＥ３  ２１２が開始したとき、時計文字盤１２８からは分からないが、図３から、ＴＩＴＬＥ３  ２１２が１５時２５分から開始したことを理解することができる。付随するフィールド１４０は、ＴＩＴＬＥ３が持続時間が２０分である短い映画“ＳＴＡＴＵＳ  ＱＵＯ”であることを示している。持続時間が時計文字盤１２８から認識されるレコーディングアイテムは、図４の下部から理解できるように、メモリ２１８における対応する部分に関して対応するように註釈付けされる。上記のように、メモリ領域２１８の様子及び註釈は、好適には、表示のために意図されていず、図４においては例示目的で示されている。
【００２２】
図４に示すように、前方へのナビゲーションを、ユーザが前進ボタン１４４を押すことにより行うことが可能である。ボタン１４４が押されている限り、ナビゲーションの針４０４及び４０８は、それぞれの所定の角速度で前方に回される。それらの角速度は、ユーザがナビゲーション速度ボタン１６０を低速化又は高速化するように手動で回転させて動かすことにより調節可能であるデフォルト値を有することが可能である。巻き戻しボタン１４８は、同様に、選択された回転速度でプレイリストにおけるより速い時点に戻してナビゲートするように機能する。代替として、ナビゲーションを、スムーズで連続的な回転ではなく、離散的なジャンプにより行うことが可能である。それ故、スキップ前進ボタン１５２及びスキップ後退ボタン１５６を押すことにより、ナビゲーションの針４０４及び４０８が、前進方向又は後退方向に、次のパイスライス半径の方に前進して又は後退してすぐに回転するようにすることができる。フィールド１４０は、この動作モードにおいては、時間的に初期に表示されたパイスライスについてのレコーディングの名前を表示する。
【００２３】
削除ボタン１６８を押すことにより、フィールド１４０に現在、示されているレコーディングは削除される。何れのレコーディングが削除されたレコーディングに後続する場合、時計文字盤１２８は、ギャップを満たすように前進して、後続のセクタを即座に動かすようにリフレッシュされる。メモリの領域は、単にポインタを用いて参照されることが可能である。代替として、フラッシュメモリの場合のように、例えば、削除されたレコーディングのメモリは即座に消去されることが可能である。それ故、後続のレコーディングは、そのギャップを満たすように即座にシフトされることができる。メモリ領域２１８のようなプレイリストはまた、ＨＤＤ又はフラッシュチップのシフトバッファとして実施されることが可能である。アイテムが削除されたときに。プレイリストにおけるギャップを残すことがまた、可能である。
【００２４】
追加ボタン１６４を押すことにより、コンテンツのテーブルにウィンドウを開くナビゲーションボックスがディスプレイ１２０に提示される。後者は、メモリ１４２にレコーディングのリストを有する。この動作モードでボタン１４４、１４８、１７２及び１７６の何れの１つ又はそれ以上を用いて、ユーザは、現在のプレイリストに追加されるようにレコーディングを選択することが可能である。
【００２５】
ナビゲーション及び編集中に、好適には、再生は、隙間ないように、プレイリストにおけるアイテムの順序に従って、継続する。
【００２６】
一旦、編集が終了すると、ユーザは、現在の時間を示すナビゲーション針４０４及び４０８により時計文字盤１２８を再表示するように、ここでは、レジュームボタンとして機能するナビゲーション速度ボタン１６０を押すことが可能であり、そして時計文字盤により、単に１時間将来を示すことが可能である。
【００２７】
図５は、ナビゲーション中に２つの対の時計の針を示す代替の図である。図５の時計文字盤は、現在の時間を追跡する破線の時計の針１３２及び１３６を伴わずに示されている。それに代えて、現在時間フィールド２６４が付随するフィールド１４０の下に現れる。この位置に示されているが、現在時間フィールド２６４は時計文字盤１２８の右側、左側又は上側に示されることが可能である。現在の時間が、ナビゲートされた時間と同じ時点に進むとすぐ、又はナビゲートされた時間が現在の時間と一致するとすぐ、時計の針の単独の対が必要とされる全てになる。それ故、現在時間フィールド２６４はスクリーン１２０から消え、２つの時間が再び異なるまで、再出現しない。
【００２８】
どちらの実施においても、即ち、時計の針のその第２の対を有する又は有しない実施においても、時計文字盤１２８の隣に、プレイリストアイテム及びそれらのアイテムの対応する開始／終了時間を有するテーブルを表示することが可能である。このことは、ユーザがプレイリストの現時点の１時間以内に入るものをすぐに見ることを可能にする。そのテーブルは、好適には、１時間より長い時間、即ち、過去の方に少し長い及び将来の方に少し長い時間における情報をカバーする。そのテーブルは、時計の針１３２及び１３６の動き、又はナビゲーション中のナビゲーション針４０４及び４０８の動きに対応して更新される。
【００２９】
表示されているセクタの着色に関して、表示の背景の色は、セクタがブランクであることを示すように用いられることが可能である。このことは、レコーディングの削除のために又は１時間より短くなったプレイリストの終了のために生じることが可能である。
【００３０】
また、着色に関して、本発明は、パイスライス半径を用いて実施される必要はないが、それに代えて、隣接セクタを異なる色に着色すること及び／又はハッチングすることに依存することが可能である。
【００３１】
他の実施形態においては、前進ボタン１４４及び巻き戻しボタン１４８は押し下げたままにする必要はないが、それに代えて、ボタンが開放された後に継続するナビゲーション針４０４及び４０８を回転されるように単に僅かに押されることが可能である。この場合、追加ボタン１６４及び削除ボタン１６８は、追加又は削除がなされる時点で押されることが可能である。
【００３２】
代替の実施形態においては、ナビゲーション速度ボタン１６０は付いていない。それに代えて、速度は、長いボタンの押圧のときに、ユーザが前進ボタン１４４又は巻き戻しボタン１４８をどれ位長く押し込まんだまま保つかにより決定される。長いボタンの押圧の間に、速度選択は循環的順序で、例えば、ボタンが押されたまま保たれている間に、２、４、８、１６、．．．、のように進行する。現在の速度で一定にのみ前進ボタン及び巻き戻しボタンを実行することは、それぞれのボタン１４４及び１４８の短いボタンの押圧によりなされる。付加ボタンとして、停止ボタンが前進又は巻き戻しを停止させるように供えられることが可能である。
【００３３】
他の代替として、ユーザインターフェースが、再生が即座に中断され、再生における他の時点に移行されるように、ユーザがプレイリストの前進又は後退させるように“回転”させることを可能にする制御部を有することが可能である。時計文字盤１２８は、それに応じて即座に更新される。好適には、プレイリストの“回転”は、それに代えて、時計の針１３２及び１３６を回転させることにより実施され、それに対応して、表示されるセクタは更新される。ナビゲーションは、好適には、本発明においては、セクタレベルにあるが、これは必要条件ではない。それ故、例えば、中断されている再生の再開が、選択されたレコーディングにおける所望の時点で、その時点までナビゲートしてユーザ制御を適切に行うことにより、なされることが可能である。
【００３４】
フィールド１４０は、現在再生されているレコーディングを示すように用いられるが、本発明はこの方法に限定されるものではない。本発明は、例えば、付加的に又は代替として、ナビゲーション中にプログラムをアナウンスする音声合成器を有することが可能である。
【００３５】
特に、本発明にしたがって、ナビゲーションは、ユーザに対して現在の時間区画を単に確認させるように、それ故、例えば、ユーザがメモリ装置をスキャンすることを可能にする役割を果たすように機能することが可能である。
【００３６】
時計に基づくインターフェースは、次の１時間以内に入来するレコーディングの長さをユーザが即座に認識することを容易にする。
【００３７】
上記のように、本発明のユーザインターフェースによる時計に基づくナビゲーション及び編集はスクリーンフットプリントを減少させる。減少されたフットプリントは、今日の携帯型の、特に携帯型装置のスモールフォームファクターと適合させるために、特に好ましい。このことは、一時にプログラミングの単なる１時間のみの表示を行う層状の対称形状のメモリにおけるレコーディングの順序構成を螺旋状にすることにより達成される。更に、時計の針を回転させるという直感的考えを、容易に理解可能なユーザにナビゲーション／編集ツールを与えるために活用することができる。
【００３８】
上記では、本発明の好適な実施形態であると考えられるものについて図示し且つ説明してきたが、勿論、形式上又は詳細において、本発明の範囲から逸脱することなく、種々の修正及び変形を容易に行うことが可能であることが理解できる。それ故、本発明は、まさに上記の及び図示した実施形態に限定されるものではなく、同時提出の特許請求の範囲に包含される全ての修正を網羅するべきものである。
【図面の簡単な説明】
【００３９】
【図１】本発明にしたがった時計文字盤に基づくプレイリストナビゲーション及び編集のためのユーザインターフェースを有するＰＶＲシステムを示す図である。
【図２】本発明にしたがって、時計文字盤を詳細に示し、メモリ領域のコンテンツと時計文字盤の表示されているセクタとの間の対応性を示す概念図である。
【図３】本発明にしたがった、何れの介在ナビゲーションを伴わない、図２の１分後の時計文字盤を示す図である。
【図４】本発明にしたがった、ナビゲーション後の、図３の数秒後の時計文字盤を示す図である。
【図５】現在の時間を示す代替の手段を有する、図４の時計文字盤を示す図である。
【図１】
2008522455.tif 000003
【図２】
2008522455.tif 000004
【図３】
2008522455.tif 000005
【図４】
2008522455.tif 000006
【図５】
2008522455.tif 000007
【国際調査報告】
2008522455.tif 000008
2008522455.tif 000009
2008522455.tif 000010